(57)【特許請求の範囲】
【請求項１】
入金処理時に投入された紙幣を紙幣識別手段で識別して入金可能と判定された紙幣を一時保留し、入金確定後、前記一時保留紙幣を紙幣収納部に収納し、出金処理時に前記紙幣収納部から繰り出した紙幣を識別部で識別して出金可能と判定された紙幣を払い出す紙幣入出金機であって、
紙幣の投入と取出しが可能な位置に紙幣集積部を設け、この紙幣集積部内に紙幣集積方向に移動可能な仕切り部材を配置して、該仕切り部材によって仕切られた一方を入金処理時に紙幣を投入する入金部とし、他方を一時保留する紙幣を集積する一時保留部と出金処理時に払い出す紙幣を集積する出金部を兼用するものとし、
前記入金部に投入された紙幣を繰り出す第１の紙幣繰り出し手段と、前記一時保留部に集積した紙幣を繰り出す第２の紙幣繰り出し手段を設け、
前記入金部に投入された紙幣を繰り出して処理する際に、前記仕切り部材を前記第１の紙幣繰り出し手段へ紙幣を押圧する部材とすると共に一時保留紙幣を集積する部材とし、該一時保留紙幣を繰り出して処理する際には、前記仕切り部材を前記第２の紙幣繰り出し手段へ紙幣を押圧する部材としたことを特徴とする紙幣入出金機。
【請求項２】
請求項１において、
前記入金処理時の一時保留紙幣の取り込み・繰り出し処理する前記第２の紙幣繰り出し手段は、出金処理時の紙幣の取り込み・繰り出し処理する紙幣繰り出し手段として兼用させ、共通利用可能に構成したことを特徴とする紙幣入出金機。
【請求項３】
請求項１において、
前記紙幣集積部を開閉するように設けられたシャッタと、
紙幣の通過を検知する通過検知手段と、
一時保留紙幣枚数によりシャッタの移動量を記憶するテーブルと、
前記紙幣識別手段により識別不良と判定されたリジェクト紙幣を返却する返却口とを備え、
入金処理時に前記入金部に投入されたすべての紙幣を繰り出して前記一時保留部への集積が終了した後、前記返却口にリジェクト紙幣が存在する場合、前記仕切り部材を前記第２の紙幣繰り出し手段へ紙幣を押圧する位置に移動させ、前記紙幣識別手段の紙幣枚数情報と、通過検知手段の通過検知情報により得られる一時保留枚数を基に前記テーブルを参照して、前記シャッタと前記仕切り部材とで前記紙幣集積部の一時保留部内を閉じると共に前記入金部を開口するように前記シャッタを移動させて、返却口の識別不良紙幣の入金部への再投入可能なように制御すること特徴とする紙幣入出金機。
【請求項４】
請求項３において、
前記シャッタは、入金取り消し時に一時保留部に保留した紙幣が取り出し可能なように開動作し、出金処理時には出金部に集積された紙幣が取り出し可能なように開動作することを特徴とする紙幣入出金機。
【請求項５】
入金処理時に投入された紙幣を紙幣識別手段で識別して入金可能と判定された紙幣を一時保留し、入金確定後、前記一時保留紙幣を紙幣収納部に収納し、出金処理時に前記紙幣収納部から繰り出した紙幣を識別部で識別して出金可能と判定された紙幣を払い出す紙幣入出金機であって、
紙幣の投入と取出しが可能な位置に紙幣集積部を設け、この紙幣集積部内に紙幣集積方向に移動可能な第１の仕切り部材と第２の仕切り部材を配置して、第１の仕切り部材によって仕切られた方を入金処理時に紙幣を投入する入金部とし、第２の仕切り部材によって仕切られた方を一時保留する紙幣を集積する一時保留部と出金処理時に払い出す紙幣を集積する出金部を兼用するものとし、
前記入金部に投入された紙幣を繰り出す第１の紙幣繰り出し手段と、前記一時保留部に集積した紙幣を繰り出す第２の紙幣繰り出し手段を設け、
前記入金部に投入された紙幣を繰り出して処理する際に、前記第１の仕切り部材を前記第１の紙幣繰り出し手段へ紙幣を押圧する部材とすると共に前記第２の仕切り部材を一時保留紙幣を集積する部材とし、該一時保留紙幣を繰り出して処理する際には、前記第２の仕切り部材を前記第２の紙幣繰り出し手段へ紙幣を押圧する部材としたことを特徴とする紙幣入出金機。
【請求項６】
請求項５において、
前記紙幣集積部の前記第２の紙幣繰り出し手段側に紙幣集積方向に移動可能な受け板を設け、
入金取り消しまたは出金紙幣取り出し時、前記受け板を前記第２の仕切り部材に平行して平面対応する押圧対応位置に移動し、前記第２の仕切り部材と前記受け板とで集積された紙幣を挟持して押圧保持し、その押圧保持状態のまま前記第２の仕切り部材と前記受け板とを紙幣を取り出せるように開口した入金部に紙幣を移動させることを特徴とする紙幣入出金機。
【発明の詳細な説明】
【技術分野】
【０００１】
本発明は、銀行等の金融機関の係員窓口に配置し、係員が使用する紙幣を入出金取引する紙幣入出金機に関する。
【背景技術】
【０００２】
一般に、この種の紙幣入出金機は、図１１に示すように、前面に入金部１１１、出金部１１２および返却口１１３を有し、入金処理時には、入金部１１１に入金された紙幣を鑑別部１１４で鑑別処理し、この鑑別処理した紙幣を紙幣搬送路に設けた一時保留部１１５に導いて一時保留し、入金取引確定後にこの一時保留部１１５から紙幣を繰り出し、繰り出した紙幣を鑑別部１１４で鑑別処理し、金種別収納庫１１６へと収納処理している（例えば、特許文献１参照）。
【０００３】
入金不良紙幣は、返却口１１３に返却し、入金取り消し紙幣は出金部１１２に返却し、出金時のリジェクト紙幣はリジェクトボックス１１７に回収している（例えば、特許文献２）。
また、出金処理時には、金種別収納庫１１６の上部より繰り出した紙幣を鑑別部１１４で確認した後、出金部１１２に出金している。
【特許文献１】特開平１０−２１４３６１号公報
【特許文献２】特開平８−１７５６９８号公報（段落００１５、図２）
【発明の開示】
【発明が解決しようとする課題】
【０００４】
しかしながら、上述したような従来の技術においては、入金部と出金部と返却部がそれぞれ独立して設けられ、さらに、一時保留部を配置し、それらがそれぞれ紙幣収集エリアを有し、各々独立した配置スペースを設けているためにそれが装置全体が大型となる要因となっている。
また、各部間の配置関係から搬送距離が長くなり、これに伴って搬送路の屈曲や搬送方向の切り換えが多くなるために複雑で大きな搬送構造を必要とし、ジャム発生の原因となっている。
【０００５】
さらに、構成部品点数が多いために、構成が複雑であると共に製造が困難であり、当然コスト高の原因ともなっている。
そこで本発明は、入金処理と出金処理は同時に行われることがない。入金処理時の入金紙幣枚数は入金部に投入された紙幣と一時保留部の紙幣との総枚数は一定である。出金処理時には一時保留部は使用されない。以上３つの実情を考慮すると共に上記した各部の配置位置およびそれらの紙幣集積エリアの広大さに着目し、１つの紙幣集積エリアを１つの紙幣集積方向に移動可能な仕切り部材によって入金部と一時保留部との紙幣集積エリアを共通利用エリアとし、さらに一時保留部と出金部とを兼用するようにして上記問題を解決することを目的とする。
【課題を解決するための手段】
【０００６】
上記目的を達成するため本発明は、入金処理時に投入された紙幣を紙幣識別手段で識別して入金可能と判定された紙幣を一時保留し、入金確定後、前記一時保留紙幣を紙幣収納部に収納し、出金処理時に前記紙幣収納部から繰り出した紙幣を識別部で識別して出金可能と判定された紙幣を払い出す紙幣入出金機であって、紙幣の投入と取出しが可能な位置に紙幣集積部を設け、この紙幣集積部内に紙幣集積方向に移動可能な仕切り部材を配置して、該仕切り部材によって仕切られた一方を入金処理時に紙幣を投入する入金部とし、他方を一時保留する紙幣を集積する一時保留部と出金処理時に払い出す紙幣を集積する出金部を兼用するものとし、前記入金部に投入された紙幣を繰り出す第１の紙幣繰り出し手段と、前記一時保留部に集積した紙幣を繰り出す第２の紙幣繰り出し手段を設け、前記入金部に投入された紙幣を繰り出して処理する際に、前記仕切り部材を前記第１の紙幣繰り出し手段へ紙幣を押圧する部材とすると共に一時保留紙幣を集積する部材とし、該一時保留紙幣を繰り出して処理する際には、前記仕切り部材を前記第２の紙幣繰り出し手段へ紙幣を押圧する部材としたことを特徴とする。
【発明の効果】
【０００７】
このようにした本発明は、１つの紙幣集積部を設け、この紙幣集積部内に移動可能な仕切り板を配置し、それによって仕切られた一方を金種混合状態で載置された紙幣を受け付けて入金処理する入金部とし、他方を入金された紙幣を返却／取り込み用に一時集積保留する一時保留部と、出金処理に集積された紙幣を取り出せる出金部として３つの紙幣集積エリアを兼用して共通利用することができるようにしたことにより、装置内部を極めて縮小化することができるという効果が得られる。
【発明を実施するための最良の形態】
【０００８】
以下、図面を参照して本発明による実施例を説明する。
【実施例】
【０００９】
図１は実施例を示す全体説明図、図２は内部の説明図である。
図において、１は金融機関の係員窓口に配置して係員が使用する紙幣入出金機であり、装置本体２の前部上面に入出金データ設定用の係員操作キー３および表示部４を有し、  また、装置本体２の前面に形成した斜面には、返却口７、入金部６および出金部兼用一時保留部８を形成して紙幣の入出金処理を行うようにしてある。
【００１０】
内部は、図２に示す如く、上部一側に係員が紙幣を取り扱い操作する紙幣集積部５を設け、この紙幣集積部５に、紙幣集積方向に移動可能な仕切り部材としての仕切り板１１とこの仕切り板１１を駆動させる図示しない駆動装置を設け、その仕切り板１１を挟んで一方を、金種混合状態で載置された紙幣を受け付けて入金処理する入金部６とし、他方を、入金された紙幣を返却／取り込み用に一時保留する一時保留部とすると共に出金処理に集積された紙幣を取り出すことができる出金部と兼用させた出金部兼用一時保留部８とし、入金部、出金部および一時保留部の３つの紙幣集積エリアを兼用させて共通利用可能にしてある。
【００１１】
また、前記紙幣集積部５の上方には、開閉して紙幣の取り出しを可能にしたり制限したりするシャッタ９と、このシャッタ９を開閉駆動させる図示しない駆動手段とが設けてある。
さらに、上部一側に入金時の識別不良と判定した紙幣を返却する返却口７を設けてある。
【００１２】
また、入金部６および出金部兼用一時保留部８と搬送路１２によって接続する入出金紙幣の真偽や金種を識別する識別部１４と、紙幣を金種別に収納する複数の収納庫１５と、入金取り込み及び出金処理時の識別不良と判定した紙幣や損券紙幣を回収するリジェクトカセット１６とがそれぞれ搬送路１２によって接続されて配置してある。
搬送路１２は、前記の如く、入金部６から識別部１４を介して出金部兼用一時保留部８までの接続と、識別部１４、各収納庫１５およびリジェクトカセット１６とを接続して構成し、これら搬送路１２および各収納庫１５の紙幣出し入れ部分には、紙幣Ｎの通過を検知確認する図示しない通過検知センサを配置して紙幣の入出金処理状態を検知確認している。
【００１３】
装置本体２の前面側から後面側にかけてリジェクトカセット１６と千円札、五千円札、万円札、二千円札や混合札を収納する収納庫１５があり、これら収納庫１５に紙幣を出し入れして入出金取引を行う。
上述した構成の作用について説明する。
なお、以下に説明する各部の動作は、図示しない記憶部に格納されたプログラム（ソフトウェア）に基づいて図示しない制御部により制御される。
【００１４】
＜入金時＞
入金部６に投入された紙幣Ｎは、係員操作キー３の開始キーによりシャッタ９が閉まり、入金部６→識別部１４→出金部兼用一時保留部８の順で搬送処理する入金経路を介して出金部兼用一時保留部８に一時保留し、次処理の入金確定処理か入金取り消し処理かに備えて待機する。
【００１５】
係員操作キー３の入金確定キーにより入金確定すると、出金部兼用一時保留部８から紙幣を繰り出して→識別部１４→収納庫１５の順で搬送処理する収納経路を介して各収納庫１５に振り分けて収納する。
入金取り消し時は、係員操作キー３の入金取り消しキーによりシャッタ９が開いて出金部兼用一時保留部８に保留した紙幣を取り出せるようにして返却処理する。
【００１６】
＜出金時＞
出金時には、金種に対応する収納庫１５から搬送路１２を介して出金部兼用一時保留部８に導き、出金取引確定後にシャッタ９を開けて出金部兼用一時保留部８から保留している出金紙幣を取り出せるようにする。
出金取り消し時は、出金部兼用一時保留部８に保留してある紙幣を識別部１４から搬送路１２を介して元の金種に対応する各収納庫１５あるいはリジェクトカセット１６に収納処理する。
【００１７】
次に上記のような取引処理を係員が操作する際の紙幣集積部５と返却口７の紙幣の出し入れについて図３〜図８を用いて説明する。
図３は入金部６に紙幣を金種混合状態で載置された状態を示す。
＜入金時＞
入金時には、仕切り板１１は、図示しない駆動手段により矢印イ方向移動し、図示しない入金収納位置検出センサにより入金収納位置で停止する。
【００１８】
またシャッタ９は、図示しない駆動手段により矢印方向に移動して図示しないシャッタ全開位置検出センサによりシャッタ全開位置で停止し、入金紙幣の投入が可能となる。
図４に示す如く、係員操作キー３の開始キーによりシャッタ９がロ方向に移動し、図示しないシャッタ閉位置検出センサによりシャッタ閉位置で停止する。
そのとき、仕切り板１１は、入金部６の底板６ａに平行して平面対応する押圧対応位置に移動させて仕切り板１１とピックアップローラ３１とで載置された紙幣Ｎを挟持状態に押圧保持し、この押圧保持状態から繰り出し動作が行われる。
【００１９】
入金部６より載置された紙幣Ｎを繰り出すときは、ピックアップローラ３１が回転することによって繰り出される。ピックアップローラ３１は、これに圧接する紙幣を1枚ずつ分離して入金部６より繰り出すローラであり、その周囲一部には図示しない高摩擦部材が埋め込まれており、この高摩擦部材によって紙幣が分離される。
ピックアップローラ３１の後方にはフィードローラ３２とリバースローラ３３が互いに圧接して設けられている。フィードローラ３２は時計回りに回転してピックアップローラ３１により繰り出された紙幣を搬送する。リバースローラ３３も時計回りに回転して紙幣Ｎが２枚以上同時に繰り出されないようにして確実に1枚だけ繰り出される。
【００２０】
入金部６より1枚ずつ分離されて繰り出された紙幣Ｎは、識別部１４により、真偽や金種を識別されて正常な紙幣Ｎを出金部兼用一時保留部８に集積して一時保留される。
ここで、出金部兼用一時保留部８について説明する。
上述の如く、入金部６の繰り出し機構と同様の構造を有しており、ピックアップローラ３５が回転可能に設けられている。このピックアップローラ３５はこれに圧接する紙幣Ｎを1枚ずつ分離して出金部兼用一時保留部８より繰り出すローラであり、その周囲一部には図示しない高摩擦部材が埋め込まれており、この高摩擦部材によって紙幣が分離される。
【００２１】
ピックアップローラ３５の後方にはフィードローラ３６とリバースローラ３７が互いに圧接して設けられている。フィードローラ３６は反時計回りに回転してピックアップローラ３５により繰り出された紙幣Ｎを搬送すると共に入金一時保留および出金取引を行う場合に時計回りに回転して出金部兼用一時保留部８内に紙幣Ｎを取り込み集積される。リバースローラ３７も反時計回りに回転して紙幣Ｎが２枚以上同時に繰り出されないようにして確実に1枚だけ繰り出される。
【００２２】
また、リバースローラ３７と同軸上には舌片３８を有する図示しない舌片ローラが設けられ、この舌片ローラはリバースローラ３７と同方向に回転し、出金部兼用一時保留部８内に取り込んだ紙幣Ｎの下端を弾いて仕切り板１１側に押しやる状態で安定させて集積される。
また、仕切り板１１は、識別部１４の紙幣枚数情報および通過検知センサ情報により繰り出し紙幣枚数ごとにロ方向に移動して入金部６内の紙幣を押圧保持状態で安定して繰り出しを行うと共に出金部兼用一時保留部８内の一時紙幣集積エリアを形成している。
【００２３】
他方、識別部１４で偽券あるいは搬送異常券、つまり受け入れ不可と判断されたリジェクト紙幣ＮＮは返却口７に返却される。
入金部６に投入された紙幣の全てが繰り出され、正常な紙幣の出金部兼用一時保留部８への集積およびリジェクト紙幣ＮＮの返却口７への返却が終了する。
リジェクト紙幣ＮＮがあるときは、図５に示す如く、仕切り板１１はイ方向に移動し、出金部兼用一時保留部８の上部に入金部６の底板６ａに対向して設けてある受け板８ａに平行して平面対応する押圧対応位置に移動させて仕切り板１１とピックアップローラ３５とで載置された紙幣Ｎを挟持状態に押圧保持して停止する。
【００２４】
一時保留紙幣枚数によりシャッタ９の移動量を記憶するテーブルを設け、シャッタ９は、識別部１４の紙幣枚数情報および通過検知情報により、前記テーブルを参照してシャッタ９をイ方向に移動させ、シャッタ９と仕切り板１１とで出金部兼用一時保留部８の紙幣の取り出しを防ぎ、一方の入金部６は開口され、返却口７のリジェクト紙幣ＮＮを入金部６へ再投入できるようにし、入金繰り出しが行われ、出金部兼用一時保留部８に一時保留し、次処理の入金確定処理か入金取り消し処理かに備えて待機する。
【００２５】
係員操作キー３の入金確定キーにより入金確定すると、図６に示す如く、仕切り板１１は、イ方向に移動し、受け板８ａに平行して平面対応する押圧対応位置に移動させて、仕切り板１１とピックアップローラ３５とで載置された紙幣Ｎを挟持状態に押圧保持し、この押圧保持状態から繰り出し動作が行われる。
この出金部兼用一時保留部８に集積した紙幣を繰り出すときは、ピックアップローラ３５、フィードローラ３６、リバースローラ３７、受け板８ａおよび仕切り板１１で構成した繰り出し機構を駆動して出金部兼用一時保留部８から紙幣Ｎを一枚ずつ繰り出す。また、仕切り板１１は、識別部１４の紙幣枚数情報および通過検知センサ情報により、繰り出し紙幣枚数ごとにイ方向に移動し、出金部兼用一時保留部８内の紙幣を押圧保持状態で安定させて繰り出し動作を行う。
【００２６】
なお、この出金部兼用一時保留部８に集積した紙幣を繰り出すときは、図示しないが、上記以外にも、受け板８ａをビルプレスとして機能させて仕切り板１１を底板６ａまで降下退避させ、ピックアップローラ３１、フィードローラ３２、リバースローラ３３による繰り出し機構を構成して出金部兼用一時保留部８から紙幣Ｎを一枚ずつ繰り出すようにしてもよい。その際、受け板８ａは、識別部１４の紙幣枚数情報および通過検知センサ情報により、繰り出し紙幣枚数ごとに移動し、出金部兼用一時保留部８内の紙幣を押圧保持状態で安定させて繰り出し動作を行う。
【００２７】
＜出金時＞
出金時は、まず、図７に示す如く、シャッタ９はシャッタ閉位置で停止して取り出しを防ぎ、仕切り板１１は、入金収納位置で停止し、集積動作が開始される。
集積動作は、フィードローラ３６が時計回りに回転し、リバースローラ３７は反時計回りに回転して出金部兼用一時保留部８内に紙幣Ｎを取り込んで集積する。
【００２８】
リバースローラ３７と同軸上の舌片ローラはリバースローラ３７と同方向に回転し、出金部兼用一時保留部８内に取り込んだ紙幣Ｎの下端を弾いて仕切り板１１側に押しやる状態で安定させて集積される。また、仕切り板１１は、識別部１４の紙幣枚数情報および通過検知センサ情報により、繰り出し紙幣枚数ごとにロ方向に移動し、出金部兼用一時保留部８内の集積エリアを確保する。
【００２９】
係員操作キー３の入金取り消しキーによる入金取り消しまたは出金紙幣取り出しにおいては、図８に示す如く、仕切り板１１は、ロ方向に移動し、図示しない紙幣取り出し位置検出センサにより紙幣取り出し位置で停止する。また、シャッタ９は、イ方向に移動し、シャッタ全開位置で停止して紙幣Ｎの取り出しが可能となる。
以上説明したように、この実施例によると、入金部、出金部および一時保留部の３つの紙幣集積エリアを兼用させて共通利用可能にしたところに特徴があるもので、このように３つの紙幣集積エリアが兼用できる構造であれば上記構成に限るものではない。
【００３０】
例えば、図９、図１０は他の実施例を示す説明図である。
なお、以下の説明において、上述した実施例と同様の部分は、同一の符号を付してその説明を省略する。
紙幣集積部５に、紙幣集積方向に移動可能な第１仕切り板５１と第２仕切り板５２と、この各々の仕切り板５１、５２を移動させる図示しない駆動装置を設けた構造である。
【００３１】
入金処理時、係員操作キー３の開始キーによりシャッタ９がロ方向に移動し、シャッタ閉位置で停止して紙幣を取り出せない状態にする。
第１仕切り板５１は、底板６ａに平行して平面対応する押圧対応位置ロ方向に移動させ、この第１仕切り板５１とピックアップローラ３１とで載置された紙幣Ｎを挟持状態に押圧保持し、この押圧保持状態から繰り出し動作を行う。
【００３２】
一方の第２仕切り板５２は、識別部１４の紙幣枚数情報および通過検知センサ情報によって、紙幣枚数ごとに、ロ方向に移動し、出金部兼用一時保留部８内の集積エリアを確保し、一時保留紙幣を集積する。
さらに、図１０に示す如く、紙幣集積部５の紙幣集積方向一側面に紙幣集積方向に移動可能な受け板５３と、この受け板５３を移動させる図示しない駆動手段を設け、係員操作キー３の入金取り消しキーにより入金取り消し、または出金紙幣取り出し時、前記受け板５３を第２仕切り板５２に平行して平面対応する押圧対応位置に移動させ、この第２仕切り板５２と受け板５３とで集積された紙幣Ｎを挟持状態に押圧保持し、この押圧保持状態から第２仕切り板５２と受け板５３とは、ロ方向に移動し、シャッタ９が開放して開口に紙幣を移動させ、紙幣取り出し位置で停止後、受け板５３はイ方向に移動し、図示しない受け板ＨＰ（Ｈｏｍｅ  Ｐｏｓｉｔｉｏｎ）検出センサにより受け板ＨＰ位置で停止する。そこで、シャッタ９は、イ方向に移動し、シャッタ全開位置で停止して紙幣の取り出しが可能となる。
【００３３】
なお、入金収納時と同様にして、受け板５３をビルプレスとして機能させて両仕切り板５１、５２とを底板６ａまで降下退避させ、ピックアップローラ３１、フィードローラ３２、リバースローラ３３による繰り出し機構を構成して出金部兼用一時保留部８から紙幣Ｎを一枚ずつ繰り出すようにしてもよい。
このように本実施例によると、入金処理および出金処理がより機能的に行えることになる。
【００３４】
以上各実施例を用いて説明した本発明によると、１つの紙幣集積部を設け、この紙幣集積部内に移動可能な仕切り板を配置し、それによって仕切られた一方を金種混合状態で載置された紙幣を受け付けて入金処理する入金部とし、他方を入金された紙幣を返却／取り込み用に一時集積保留する一時保留部と、出金処理に集積された紙幣を取り出せる出金部として３つの紙幣集積エリアを兼用して共通利用することができるようにしたことにより、装置内部を極めて縮小化することができることになる。
【００３５】
また、共通利用化に伴って各部間の搬送距離が短くなるため、搬送路の屈曲や搬送方向の切り換えが少なくなり、ジャムの発生を抑制する効果が高まる。
また、１つの紙幣繰り出し手段を入金時の一時保留紙幣を取り込み・繰り出し処理する紙幣繰り出し手段と、出金時の紙幣を取り込み・繰り出し処理する紙幣繰り出し手段とを兼用させることができる。
【００３６】
さらに、仕切り板は、入金部に入金された入金紙幣を取り込み処理する紙幣取り込み手段の紙幣押圧板部材と、保留紙幣を繰り出し処理する紙幣繰り出し手段の紙幣押圧部材と、出金紙幣を集積するステージ部材として共通利用可能としたことにより、部品点数の削減をはかることができ、これにより紙幣入出金機の小型化および低価格化を確実に図ることができる。
【００３７】
また、入金取り消し時に、装置内部の出金兼用一時保留部に保留している入金保留紙幣を搬送することなく、その上方の出金部のシャッタをあけることにより、出金部兼用の一時保留部から入金保留紙幣を即座に取り出すことができ、ジャムの発生の原因を削減することができ、さらに、取り出し処理時間の短縮をはかることが可能となる。
【図面の簡単な説明】
【００３８】
【図１】実施例を示す全体説明図
【図２】内部説明図
【図３】紙幣集積部の作動状態を示す説明図
【図４】紙幣集積部の作動状態を示す説明図
【図５】紙幣集積部の作動状態を示す説明図
【図６】紙幣集積部の作動状態を示す説明図
【図７】紙幣集積部の作動状態を示す説明図
【図８】紙幣集積部の作動状態を示す説明図
【図９】他の実施例の紙幣集積部の作動状態を示す説明図
【図１０】図９に示す実施例の紙幣集積部の作動状態を示す説明図
【図１１】従来例の説明図
【符号の説明】
【００３９】
１  紙幣入出金機
２  装置本体
３  係員操作キー
４  表示部
５  紙幣集積部
６  入金部
６ａ  底板
７  返却口
８  出金部兼用一時保留部
８ａ  受け板
９  シャッタ
１１  仕切り板
１２  搬送路
１４  識別部
１５  収納庫
１６  リジェクトカセット
３１  ピックアップローラ
３２  フィードローラ
３３  リバースローラ
３５  ピックアップローラ
３６  フィードローラ
３７  リバースローラ
３８  舌片
５１  第１仕切り板
５２  第２仕切り板
５３  受け板
【図４】
0004830414.tif 000002
【図１】
0004830414.tif 000003
【図２】
0004830414.tif 000004
【図３】
0004830414.tif 000005
【図５】
0004830414.tif 000006
【図６】
0004830414.tif 000007
【図７】
0004830414.tif 000008
【図８】
0004830414.tif 000009
【図９】
0004830414.tif 000010
【図１０】
0004830414.tif 000011
【図１１】
0004830414.tif 000012